(57)【要約】      （修正有）【課題】受光素子への粉塵の付着を防止するとともに光路上に粉塵が浮遊するのを防止する。【解決手段】ケースの内部には、ＣＣＤへの迷光の入射を防止する基本撮像用バッフル３０が配されている。基本撮像用バッフル３０は、受け板３０ａ、ＣＣＤへの迷光の入射を防止するバッフル板３０ｂからなる。バッフル板３０ｂには、ＣＣＤに入射する撮影光を通す開口３０ｅが形成されている。バッフル板３０ｂの前面３０ｃ及び後面３０ｄには、反射を防止する無反射層３９が形成されている。受け板３０ａには、凹部３０ｆが形成されている。凹部３０ｆには、グリース１５が塗布されている。人工衛星打ち上げ時の振動で、無反射層３９から、メッキ凸部８０が剥がれて粉塵となる。この剥がれたメッキ凸部８０は、グリース１５で吸着されるから、粉塵が各撮影レンズや各ＣＣＤに付着することがない。【選択図】図１０
2011149974.tif 000002
【特許請求の範囲】
【請求項１】
受光素子と、前記受光素子への迷光の入射を防止するとともに前記受光素子に入射する光を通す入射用開口が形成された遮光部材とを有し、地上から打ち上げられて宇宙空間を航行する宇宙航行体に搭載される光学装置において、
前記遮光部材の前面及び後面に形成され、反射を防止する無反射層と、
前記遮光部材の近傍に設けられ、前記無反射層から剥がれて加速度方向とは逆方向に飛散する粉塵を吸着する粉塵吸着面と、
を備えることを特徴とする光学装置。
【請求項２】
前記受光素子は撮像素子から構成され、
前記撮像素子に入射する光を通す撮影レンズと、
前記撮影レンズを保持するレンズ鏡筒と、
前記撮像素子及び遮光部材を収納するとともに、前記レンズ鏡筒が取り付けられるケースと、
を備えることを特徴とする請求項１記載の光学装置。
【請求項３】
前記粉塵吸着面は、前記ケースまたは前記遮光部材に設けられた受け板に塗布されたグリースから構成されていることを特徴とする請求項２記載の光学装置。
【請求項４】
前記受け板に第１凹部を形成し、
前記第１凹部に前記グリースを塗布したことを特徴とする請求項３記載の光学装置。
【請求項５】
前記レンズ鏡筒内の前記撮影レンズの前方に、前記撮像レンズに入射する光量を調整する調整用開口が形成され、前面及び後面に反射を防止する無反射層が形成された絞りを設け、
前記絞りの無反射層から剥がれて加速度方向とは逆方向に飛散する粉塵を吸着するグリースを、前記絞りに形成された第２凹部に塗布したことを特徴とする請求項２ないし４いずれか１つ記載の光学装置。
【請求項６】
前記レンズ鏡筒内の前記撮影レンズの前方にも、前記遮光部材を設けたことを特徴とする請求項２ないし５いずれか１つ記載の光学装置。
【請求項７】
前記レンズ鏡筒内に前記遮光部材を複数設けたことを特徴とする請求項６記載の光学装置。
【請求項８】
前記ケース内に前記撮像素子及び遮光部材を複数設け、
前記撮影レンズの後方に前記複数の遮光部材の中の１つを配し、
前記ケース内の前記撮影レンズの後方に配された遮光部材の後方に、所定の第１波長の光を反射するとともに、他の波長の光を透過する第１ダイクロックミラーを配し、
前記ケース内の前記第１ダイクロックミラーを透過した光の移動経路上に、所定の第２波長の光を反射するとともに、他の波長の光を透過する第２ダイクロックミラーを配し、
前記第１ダイクロックミラーで反射された光の移動経路上、前記第２ダイクロックミラーで反射された光の移動経路上、及び前記第２ダイクロックミラーを透過した光の移動経路上のそれぞれに前記遮光部材を配するとともに、それぞれの後方に前記撮像素子を配したことを特徴とする請求項２ないし７いずれか１つ記載の光学装置。
【発明の詳細な説明】
【技術分野】
【０００１】
本発明は、地上から打ち上げられて宇宙空間を航行する人工衛星等の宇宙航行体に搭載される光学装置に関するものである。
【背景技術】
【０００２】
撮影を行う撮影装置、光量を測定する光量測定装置等の光学装置は、いずれもケース内に受光素子が設けられ、この受光素子に入射した光を電気信号に変換することで、画像データの取得や光量の測定を行っている。このような光学装置は、地上から打ち上げられて地球や月など太陽系の惑星の周囲を公転する人工衛星（例えば、惑星探査衛星）や、有人宇宙航行を行う航行体（例えば、スペースシャトル）等の宇宙航行体にも搭載される。
【０００３】
宇宙空間では、受ける太陽光の量が地上よりも多いため、受光素子を収納したケースの僅かな隙間から多量の太陽光が内部に侵入する。このケース内部に侵入した光が迷光となって受光素子に入射すると、撮影装置の場合は高品質の画像データを取得することができず、光量測定装置の場合は正確な光量を測定することができない。このため、宇宙航行体に搭載される光学装置では、ケース内に、受光素子への迷光の入射を防止するとともに受光素子に入射する光を通す入射用開口が形成された遮光部材が配されている。また、遮光部材の前面及び後面に、反射を防止する無反射層を形成することにより、光の散乱、迷光を防止し、受光素子に有害光が入射するのを防止して、受光素子での受光精度を向上している。これにより、高品質の画像データの取得、正確な光量の測定を実現している。
【０００４】
また、受光素子での受光精度を向上するために、迷光の入射防止の他に、光学装置内での粉塵の発生を防止することが考えられている。この防塵処理として、特許文献１記載の軽合金鋳物の防塵処理方法では、バレル加工により軽合金鋳物の表面から金属微片や繊維屑を除去した後に無電解ニッケルメッキ処理を行うことにより、軽合金鋳物から粉塵が発生するのを防止している。また、特許文献２記載のカメラ及びこれに用いる撮像素子ユニットでは、撮影レンズと撮像素子との間に防塵フィルターを設け、この防塵フィルターを圧電素子で振動させることにより、防塵フィルターに付着した粉塵を除去している。
【先行技術文献】
【特許文献】
【０００５】
【特許文献１】特開平５−３１１４５１号公報
【特許文献２】特開２００３−３４８４０１号公報
【発明の概要】
【発明が解決しようとする課題】
【０００６】
宇宙航行体の打ち上げ時には、３Ｇ程度の加速度が加わり、さらには、２５Ｇ程度に相当する非常に大きな振動が数分間に亘って発生する。このため、特許文献１のような防塵処理を施したものでは、上記した打ち上げ時の加速度や非常に大きな振動によって、表面に施された処理部（メッキ）自体が剥がれて粉塵となり、この粉塵が加速度方向とは逆方向に飛散して滞積することがある。この滞積した粉塵は、正方向及び負方向いずれの加速度が加わった場合にも舞い上がる。特に、無重力状態では、舞い上がった粉塵は、滞積することなく浮遊し続けるため、静電気等により受光素子に付着したり、光路上に浮遊した粉塵が障害物となり、受光素子に入射する光量が減少することがある。特許文献２でも、圧電素子による振動で防塵フィルターから除去された粉塵が舞い上がり、受光素子に付着したり、光路上に浮遊することがある。
【０００７】
本発明は、上記課題を解決するためになされたものであり、受光素子への粉塵の付着を防止するとともに光路上に粉塵が浮遊するのを防止することができる光学装置を提供することを目的とする。
【課題を解決するための手段】
【０００８】
上記課題を解決するために、本発明の光学装置は、受光素子と、前記受光素子への迷光の入射を防止するとともに前記受光素子に入射する光を通す入射用開口が形成された遮光部材とを有し、地上から打ち上げられて宇宙空間を航行する宇宙航行体に搭載される光学装置において、前記遮光部材の前面及び後面に形成され、反射を防止する無反射層と、前記遮光部材の近傍に設けられ、前記無反射層から剥がれて加速度方向とは逆方向に飛散する粉塵を吸着する粉塵吸着面と、を備えることを特徴とする。なお、光学装置としては、撮影を行う撮影装置、受光素子で受光した光量を測定する光量測定装置、光を分光する分光装置等が挙げられる。
【０００９】
また、前記受光素子は撮像素子から構成され、前記撮像素子に入射する光を通す撮影レンズと、前記撮影レンズを保持するレンズ鏡筒と、前記撮像素子及び遮光部材を収納するとともに、前記レンズ鏡筒が取り付けられるケースと、を備えることが好ましい。
【００１０】
なお、前記撮像素子としてはＣＣＤイメージセンサやＣＭＯＳイメージセンサ等が挙げられる。また、前記無反射層を形成する処理方法としては、塗装処理やメッキ処理等が挙げられ、このメッキ処理を行う方法としては、塗料を前記遮光部材に吹き付けて表面に付着させる方法や、溶液が充填された容器に前記遮光部材を浸して表面に付着させる方法（電気メッキ処理、溶融メッキ処理、無電解メッキ処理等）が挙げられる。
【００１１】
さらに、前記粉塵吸着面は、前記ケースまたは前記遮光部材に設けられた受け板に塗布されたグリースから構成されていることが好ましい。なお、前記グリースとしては、宇宙空間での真空状態においても硬化せず、且つ飛散しないものが好ましく、ＡＵＳＩＭＯＮＴ社製の「フォンブリングリースＺＬＨＴ」や「フォンブリングリースＺＮＦ」等が挙げられる。
【００１２】
また、前記受け板に第１凹部を形成し、前記第１凹部に前記グリースを塗布することが好ましい。
【００１３】
さらに、前記レンズ鏡筒内の前記撮影レンズの前方に、前記撮像レンズに入射する光量を調整する調整用開口が形成され、前面及び後面に反射を防止する無反射層が形成された絞りを設け、前記絞りの無反射層から剥がれて加速度方向とは逆方向に飛散する粉塵を吸着するグリースを、前記絞りに形成された第２凹部に塗布することが好ましい。
【００１４】
また、前記レンズ鏡筒内の前記撮影レンズの前方にも、前記遮光部材を設けることが好ましい。さらに、前記レンズ鏡筒内に前記遮光部材を複数設けることが好ましい。
【００１５】
さらに、前記ケース内に前記撮像素子及び遮光部材を複数設け、前記撮影レンズの後方に前記複数の遮光部材の中の１つを配し、前記ケース内の前記撮影レンズの後方に配された遮光部材の後方に、所定の第１波長の光を反射するとともに、他の波長の光を透過する第１ダイクロックミラーを配し、前記ケース内の前記第１ダイクロックミラーを透過した光の移動経路上に、所定の第２波長の光を反射するとともに、他の波長の光を透過する第２ダイクロックミラーを配し、前記第１ダイクロックミラーで反射された光の移動経路上、前記第２ダイクロックミラーで反射された光の移動経路上、及び前記第２ダイクロックミラーを透過した光の移動経路上のそれぞれに前記遮光部材を配するとともに、それぞれの後方に前記撮像素子を配することが好ましい。
【発明の効果】
【００１６】
本発明によれば、受光素子への迷光の入射を防止する遮光部材の前面及び後面に、反射を防止する無反射層を形成し、無反射層から剥がれて加速度方向とは逆方向に飛散する粉塵を、粉塵吸着面で吸着するから、粉塵が浮遊することがない。これにより、遮光部材の前面及び後面での反射を防止しながらも、受光素子への粉塵の付着を防止することができ、さらには、光路上に粉塵が浮遊するのを防止することができる。
【００１７】
また、受光素子を撮像素子から構成し、この撮像素子に入射する光を通す撮影レンズを備え、撮影を行う撮影装置であるときには、撮像素子及び撮影レンズへの粉塵の付着を防止することができる。これにより、高品質の画像データを取得することができる。
【００１８】
さらに、粉塵吸着面を、ケースまたは遮光部材に設けられた受け板に塗布されたグリースから構成したから、簡単な構成で容易に粉塵を吸着することができる。
【図面の簡単な説明】
【００１９】
【図１】撮影装置を示す斜視図である。
【図２】撮影装置内部を示す断面図である。
【図３】撮影装置内部を示す断面図である。
【図４】絞りを示す断面図である。
【図５】絞りを示す斜視図である。
【図６】第１レンズ用バッフルを示す斜視図である。
【図７】第２レンズ用バッフルを示す斜視図である。
【図８】基本撮像用バッフルを示す斜視図である。
【図９】撮影装置内部の電気的構成を示すブロック図である。
【図１０】（Ａ）は表面にメッキ凸部が形成された状態、（Ｂ）はメッキ凸部が剥がれた状態の基本撮像用バッフルを示す断面図である。
【図１１】２方向に加速度が加わる実施形態の撮影装置内部を示す断面図である。
【図１２】反射防止凸部を形成した実施形態の基本撮像用バッフルを示す断面図である。
【発明を実施するための形態】
【００２０】
図１〜図３に示すように、撮影装置２は、第１〜第７撮影レンズ３ａ〜３ｇと、これら第１〜第７撮影レンズ３ａ〜３ｇを保持するレンズ鏡筒４と、このレンズ鏡筒４が取り付けられるケース５と、レンズ鏡筒４の先端に取り付けられる望遠レンズ６とを備える。第１〜第７撮影レンズ３ａ〜３ｇは、固定リング７ａ〜７ｇにより、レンズ鏡筒４内に固定されている。撮影装置２は、地上から打ち上げられて地球や月など太陽系の惑星の周囲を公転する人工衛星に搭載され、人工衛星内に設けられた制御装置（図示せず）により制御される。
【００２１】
望遠レンズ６は、円筒状の本体筒６ａ内に望遠用のレンズ８が複数取り付けられている。レンズ鏡筒４は、取付リング９によりケース５に取り付けられている。なお、図２及び図３では、望遠レンズ６の図示を省略している。
【００２２】
レンズ鏡筒４内の第４撮像レンズ３ｄの前方には、第４撮像レンズ３ｄに入射する光量を調整する絞り１０が設けられている。また、レンズ鏡筒４内の第６撮影レンズ３ｆの前方には、第６撮影レンズ３ｆへの迷光の入射を防止する遮光部材としての第１レンズ用バッフル１１及び第２レンズ用バッフル１２が設けられている。
【００２３】
図４及び図５に示すように、絞り１０は、円筒状の本体部１０ａと、この本体部１０ａのほぼ中央に形成された調整板１０ｂとからなる。この調整板１０ｂは、前面１０ｃから後面１０ｄまで貫通して開口１０ｅが形成され、第４撮影レンズ３ｄに入射する光量を調整する。前面１０ｃ及び後面１０ｄには、反射を防止する無反射層１３が形成されている。なお、無反射層１３は、塗料（例えば、黒色クロム）を前面１０ｃ及び後面１０ｄに吹き付けて表面に付着させるメッキ処理により形成される。このとき、本体部１０ａにマスキングテープを貼り付けた状態で吹き付けることにより、前面１０ｃ及び後面１０ｄ以外には、無反射層１３は形成されない。
【００２４】
本体部１０ａの内面であって調整板１０ｂの前側及び後側それぞれには、全周に亘って凹部１０ｆが形成されている。これらの凹部１０ｆの下側の半円部には、打ち上げ時に無反射層１３から剥がれて加速度方向とは逆方向に飛散する粉塵を吸着するグリース１５が塗布されている。なお、グリース１５としては、宇宙空間での真空状態においても硬化せず、且つ飛散しないもの、例えば、ＡＵＳＩＭＯＮＴ社製の「フォンブリングリースＺＬＨＴ」が用いられる。
【００２５】
図６に示すように、第１レンズ用バッフル１１は、リング状の本体部１１ａと、この本体部１１ａの前面に形成され、第６撮影レンズ３ｆへの迷光の入射を防止するバッフル板１１ｂとからなる。このバッフル板１１ｂには、第６撮影レンズ３ｆに入射する撮影光を通すように前面１１ｃから後面１１ｄまで貫通して開口１１ｅが形成されている。後面１１ｄには、絞り１０と同様に、反射を防止する無反射層１６が形成されている。なお、絞り１０と同様に、後面１１ｄ以外には、無反射層１６は形成されない。
【００２６】
本体部１１ａの内面には、全周に亘って凹部１１ｆが形成されている。この凹部１１ｆの下側の半円部には、打ち上げ時に無反射層１６から剥がれて加速度方向とは逆方向に飛散する粉塵を吸着するグリース１５が塗布されている。
【００２７】
図７に示すように、第２レンズ用バッフル１２は、第１レンズ用バッフル１１と同様に、本体部１２ａとバッフル板１２ｂとからなり、第１レンズ用バッフル１１よりも一回り大きい。バッフル板１２ｂには、前面１２ｃから後面１２ｄまで貫通して開口１２ｅが形成され、後面１２ｄには、反射を防止する無反射層１７が形成されている。本体部１２ａの内面に形成された凹部１２ｆの下側の半円部には、打ち上げ時に無反射層１７から剥がれて加速度方向とは逆方向に飛散する粉塵を吸着するグリース１５が塗布されている。
【００２８】
図２に示すように、ケース５の内部には、赤色光用の第１ＣＣＤイメージセンサ（以下、「ＣＣＤ」と称する）２１、緑色光用の第２ＣＣＤ２２、青色光用の第３ＣＣＤ２３が配されている。第１ＣＣＤ２１及び第３ＣＣＤ２３は、ケース５の内壁面に取り付けられ、第２ＣＣＤ２２は、ケース５内に設けられた取付台（図示せず）に取り付けられている。
【００２９】
図２及び図８に示すように、ケース５の内部には、各ＣＣＤ２１〜２３への迷光の入射を防止する基本撮像用バッフル３０、第１撮像用バッフル３１、第２撮像用バッフル３２、第３撮像用バッフル３３が配されている。
【００３０】
基本撮像用バッフル３０は、受け板３０ａと、この受け板３０ａに立設され、各ＣＣＤ２１〜２３への迷光の入射を防止するバッフル板３０ｂとからなる。このバッフル板３０ｂには、各ＣＣＤ２１〜２３に入射する撮影光を通すように前面３０ｃから後面３０ｄまで貫通して開口３０ｅが形成されている。これら前面３０ｃ及び後面３０ｄには、反射を防止する無反射層３９が形成されている。なお、絞り１０と同様に、前面３０ｃ及び後面３０ｄ以外には、無反射層３９は形成されない。
【００３１】
受け板３０ａの上面には、バッフル板３０ｂの前側及び後側にそれぞれ凹部３０ｆが形成されている。これらの凹部３０ｆには、打ち上げ時に無反射層３９から剥がれて加速度方向とは逆方向に飛散する粉塵を吸着するグリース１５が塗布されている。また、受け板３０ａには、ビス孔３０ｇが２個形成され、ビス２５によりケース５に固定されている。
【００３２】
基本撮像用バッフル３０と同様に、第１〜第３撮像用バッフル３１〜３３は、受け板３１ａ〜３３ａとバッフル板３１ｂ〜３３ｂとからなり、前面３１ｃ〜３３ｃから後面３１ｄ〜３３ｄまで貫通して開口３１ｅ〜３３ｅが形成され、前面３１ｃ〜３３ｃ及び後面３１ｄ〜３３ｄには、無反射層３９が形成されている。受け板３１ａ〜３３ａには、凹部３１ｆ〜３３ｆとビス孔３１ｇ〜３３ｇとが形成され、凹部３１ｆ〜３３ｆには、グリース１５が塗布されている。
【００３３】
図２及び図３に示すように、ケース５には、各受け板３０ａ〜３３ａを受ける受け板５ａが４個形成されている。ビス２５を、ビス孔３０ｇ〜３３ｇを介して各受け板５ａに形成された固定孔（図示せず）にビス締めすることで、各撮像用バッフル３０〜３３は、受け板５ａに固定されている。なお、図２では、ビス２５の図示を省略している。
【００３４】
基本撮像用バッフル３０の後方には、第１ダイクロックミラー３４、第２ダイクロックミラー３５が設けられている。第１ダイクロックミラー３４は、赤色光（第１波長の光）を反射し、その他の波長の光を透過する。第２ダイクロックミラー３５は、緑色光（第２波長の光）を反射し、その他の波長の光（青色光）を透過する。なお、図３では、各ダイクロックミラー３４，３５の図示を省略している。また、ダイクロックミラーに代えて、ダイクロックプリズムを用いてもよい。
【００３５】
基本撮像用バッフル３０を通過した撮影光は、第１ダイクロックミラー３４に入射する。第１ダイクロックミラー３４で反射された光は、第１撮像用バッフル３１に入射し、第１ダイクロックミラー３４を透過した光は、第２ダイクロックミラー３５に入射する。第２ダイクロックミラー３５で反射された光は、第２撮像用バッフル３２に入射し、第２ダイクロックミラー３５を透過した光は、第３撮像用バッフル３３に入射する。
【００３６】
図９に示すように、撮影装置２には、第１撮像部３６、第２撮像部３７、第３撮像部３８が設けられている。第１撮像部３６は、第１ＣＣＤ２１を備え、この第１ＣＣＤ２１は、被写体像を光電変換して時系列の赤色信号を発生し、これを相関二重サンプリング回路（ＣＤＳ）４１に送る。ＣＣＤドライバ４４には、ＣＰＵ７０によって制御されるＴＧ（タイミングジェネレータ）４５からのタイミング信号（クロック信号）が入力される。このＣＣＤドライバ４４によって、第１ＣＣＤ２１が作動される。第１ＣＣＤ２１から出力された赤色信号は、ＣＤＳ４１でノイズ成分が除去され、第１ＣＣＤ２１の各セルの蓄積電荷量に正確に対応した赤色信号に変換される。ＣＤＳ４１から出力された赤色信号は、ＩＳＯ感度に応じて増幅器（ＡＭＰ）４２で増幅され、Ａ／Ｄ変換器４３で画像データに変換される。
【００３７】
画像入力コントローラ４６は、ＣＰＵ７０に接続されており、ＣＰＵ７０の命令によってＣＤＳ４１，ＡＭＰ４２，Ａ／Ｄ変換器４３を制御する。ＣＰＵ７０には、各種制御用のプログラムや設定情報などが記録されたＥＥＰＲＯＭ（図示せず）が接続されている。ＣＰＵ７０は、人工衛星内に設けられた制御装置からの指令に応じて、ＥＥＰＲＯＭ内のプログラムを読み取って、各部を制御する。画像入力コントローラ４６は、Ａ／Ｄ変換器４３から出力された画像データをバッファメモリ４９に記録する。
【００３８】
第２撮像部３７は、第１撮像部３６と同様に、第２ＣＣＤ２２、ＣＤＳ５１、ＡＭＰ５２、Ａ／Ｄ変換器５３、ＣＣＤドライバ５４、ＴＧ５５、画像入力コントローラ５６を備え、ＣＰＵ７０によって作動される。第２ＣＣＤ２２は、被写体像を光電変換して時系列の緑色信号を発生し、これをＣＤＳ５１に送る。第３撮像部３８も、第１撮像部３６と同様に、第３ＣＣＤ２３、ＣＤＳ６１、ＡＭＰ６２、Ａ／Ｄ変換器６３、ＣＣＤドライバ６４、ＴＧ６５、画像入力コントローラ６６を備え、ＣＰＵ７０によって作動される。第３ＣＣＤ２３は、被写体像を光電変換して時系列の青色信号を発生し、これをＣＤＳ５１に送る。
【００３９】
第１撮像部３６と同様に、画像入力コントローラ５６，６６は、Ａ／Ｄ変換器５３，６３から出力された画像データをバッファメモリ４９に記録する。
【００４０】
バッファメモリ４９は、撮像された高解像度の画像データが一時的に記憶される。このバッファメモリ４９から読み出された画像データは、メモリコントローラ７８によって駆動制御されるデータリーダによりＲＡＭ７９に記憶される。
【００４１】
次に、上記実施形態の作用について説明する。望遠レンズ６に入射した光は、本体筒６ａ内の複数のレンズ８を透過して第１撮影レンズ３ａに入射する。第１撮影レンズ３ａに入射した光は、第２撮影レンズ３ｂ、第３撮影レンズ３ｃを透過して絞り１０に入射する。絞り１０に入射した光は、調整板１０ｂの開口１０ｅで光量が調整されて、第４撮影レンズ３ｄに入射する。
【００４２】
第４撮影レンズ３ｄに入射した光は、第５撮影レンズ３ｅを透過して第１レンズ用バッフル１１に入射する。第１レンズ用バッフル１１では、バッフル板１１ｂにより迷光が遮られ、第６撮影レンズ３ｆに入射する撮影光が開口１１ｅを通る。第１レンズ用バッフル１１を通過した光は、第２レンズ用バッフル１２に入射する。
【００４３】
第２レンズ用バッフル１２では、バッフル板１２ｂにより迷光が遮られ、第６撮影レンズ３ｆに入射する撮影光が開口１２ｅを通る。第２レンズ用バッフル１２を通過した光は、第６撮影レンズ３ｆ、第７撮影レンズ３ｇを透過して基本撮像用バッフル３０に入射する。
【００４４】
基本撮像用バッフル３０では、バッフル板３０ｂにより迷光が遮られ、各ＣＣＤ２１〜２３に入射する撮影光が開口３０ｅを通る。基本撮像用バッフル３０を通過した光は、第１ダイクロックミラー３４に入射する。第１ダイクロックミラー３４は、赤色光を反射し、その他の波長の光を透過する。
【００４５】
第１ダイクロックミラー３４で反射された光は、第１撮像用バッフル３１に入射する。第１撮像用バッフル３１では、バッフル板３１ｂにより迷光が遮られ、第１ＣＣＤ２１に入射する撮影光が開口３１ｅを通る。この開口３１ｅを通過した撮像光（赤色光）は、第１ＣＣＤ２１に入射する。
【００４６】
第１ＣＣＤ２１は、被写体像を光電変換して時系列の赤色信号を発生し、これをＣＤＳ４１に送る。第１ＣＣＤ２１から出力された赤色信号は、ＣＤＳ４１でノイズ成分が除去され、ＩＳＯ感度に応じてＡＭＰ４２で増幅された後、Ａ／Ｄ変換器４３で画像データに変換される。撮像された高解像度の画像データは、バッファメモリ４９に一時的に記憶される。このバッファメモリ４９から読み出された画像データは、ＲＡＭ７９に記憶される。
【００４７】
第１ダイクロックミラー３４を透過した光は、第２ダイクロックミラー３５に入射する。第２ダイクロックミラー３５は、緑色光を反射し、その他の波長の光（青色光）を透過する。
【００４８】
第２ダイクロックミラー３５で反射された光は、第２撮像用バッフル３２に入射する。第２撮像用バッフル３２では、バッフル板３２ｂにより迷光が遮られ、第２ＣＣＤ２２に入射する撮影光が開口３２ｅを通る。この開口３２ｅを通過した撮像光（緑色光）は、第２ＣＣＤ２２に入射する。
【００４９】
第２ＣＣＤ２２は、第１ＣＣＤ２１と同様に緑色信号を出力する。この緑色信号は、ＣＤＳ５１、ＡＭＰ５２、Ａ／Ｄ変換器５３を介して画像データに変換され、撮像された高解像度の画像データは、ＲＡＭ７９に記憶される。
【００５０】
第２ダイクロックミラー３５を透過した光は、第３撮像用バッフル３３に入射する。第３撮像用バッフル３３では、バッフル板３３ｂにより迷光が遮られ、第３ＣＣＤ２３に入射する撮影光が開口３３ｅを通る。この開口３３ｅを通過した撮像光（青色光）は、第３ＣＣＤ２３に入射する。
【００５１】
第３ＣＣＤ２３は、第１ＣＣＤ２１と同様に青色信号を出力する。この青色信号は、ＣＤＳ６１、ＡＭＰ６２、Ａ／Ｄ変換器６３を介して画像データに変換され、撮像された高解像度の画像データは、ＲＡＭ７９に記憶される。
【００５２】
基本撮像用バッフル３０の前面３０ｃ及び後面３０ｄには、無反射層３９が形成されている。これにより、前面３０ｃ及び後面３０ｄでの光の反射が防止されるから、撮影装置２内に侵入した迷光が各ＣＣＤ２１〜２３に入射することがなく、高品質の画像データが記憶される。同様に、絞り１０、各レンズ用バッフル１１，１２及び各撮像用バッフル３１〜３３も、無反射層が形成されており、光の反射が防止される。
【００５３】
また、図１０に示すように、基本撮像用バッフル３０の無反射層３９は、メッキ処理によって形成されるため、微小なメッキ凸部８０が形成される。人工衛星打ち上げ時には、２５Ｇ程度に相当する非常に大きな振動が発生する。この振動が撮影装置２に加わると、無反射層３９からメッキ凸部８０が剥がれて粉塵となり、メッキ凸部８０が加速度方向とは逆方向（図１０における下方向）に飛散するが、この飛散したメッキ凸部８０は、凹部３０ｆに塗布されたグリース１５で吸着される。これにより、粉塵が静電気等により各撮影レンズ３ａ〜３ｇや各ＣＣＤ２１〜２３に付着することがなく、さらには、光路上に粉塵が浮遊することもない。また、無反射層３９は、メッキ凸部８０以外は剥がれずに前面１０ｃ及び後面１０ｄに形成されたままとなるから、反射を防止する状態は持続する。なお、図面を判り易くするために、無反射層３９及びメッキ凸部８０は、図１０においては誇大に表示してある。
【００５４】
また、人工衛星が宇宙空間に到達して無重力状態になったときにも、グリース１５は硬化せず、且つ飛散しないから、グリース１５が吸着した粉塵が浮遊して各撮影レンズ３ａ〜３ｇや各ＣＣＤ２１〜２３に付着することがなく、さらには、光路上に粉塵が浮遊することもない。
【００５５】
基本撮像用バッフル３０と同様に、絞り１０、各レンズ用バッフル１１，１２及び各撮像用バッフル３１〜３３には、メッキ処理によって微小なメッキ凸部が形成され、このメッキ凸部は、人工衛星打ち上げ時の振動により剥がれて粉塵となるが、この粉塵はグリース１５で吸着されるから、粉塵が各撮影レンズ３ａ〜３ｇや各ＣＣＤ２１〜２３に付着することがなく、さらには、光路上に粉塵が浮遊することもない。
【００５６】
また、各無反射層１３，１６，１７，３９から剥がれて粉塵となるメッキ凸部は、グリース１５で吸着されるから、メッキ凸部が撮影装置２内に設けられた第１〜第３撮像部３６〜３８やＣＰＵ７０等の電気部品に付着することがない。これにより、メッキ凸部が電気部品に付着することで発生する電気的なショートが防止される。
【００５７】
なお、上記実施形態では、１方向に加速度が加わり、その加速度方向とは逆方向に飛散する粉塵を吸着する位置にグリースを塗布しているが、図１１に示すように、２方向に加速度が加わる場合には、ケース５の内側上面に、第２加速度方向に加速度が加わったときに各バッフル３０〜３３の無反射層３９から剥がれて図１１における上方に飛散するメッキ凸部を吸着するようにグリース１５を塗布する。第１加速度方向に加速度が加わったときに無反射層３９から剥がれたメッキ凸部は、上記実施形態と同様に各バッフル３０〜３３に塗布されたグリース１５で吸着する。このように、複数方向に加速度が加わる場合にも、複数の加速度方向それぞれの逆方向に飛散する粉塵を吸着するようにグリースを複数箇所に塗布すれば、粉塵が撮影レンズやＣＣＤに付着することがなく、さらには、光路上に粉塵が浮遊することもない。同様に、絞り１０や各バッフル１１，１２にも、第２加速度方向に加速度が加わったときに各無反射層１３，１６，１７から剥がれたメッキ凸部を吸着するようにグリース１５を塗布する。この場合、各凹部１０ｆ，１１ｆ，１２ｆの全周に亘ってグリース１５を塗布する。なお、図１１では、基本撮像用バッフル３０の図示を省略している。
【００５８】
また、図１２に示すように、基本撮像用バッフル３０の受け板３０ａの前側及び後側各端部に、基本撮像用バッフル３０の前側及び後側から入射した光がグリース１５で反射するのを防止するための反射防止凸部３０ｈを形成してもよい。なお、反射防止凸部３０ｈを、前側及び後側のいずれか一方に形成してもよい。また、基本撮像用バッフル３０と同様に、第１〜第３撮像用バッフル３１〜３３の受け板３１ａ〜３３ａにも、反射防止凸部が形成される。
【００５９】
さらに、上記実施形態では、人工衛星打ち上げ時に発生する振動によって無反射層から剥がれたメッキ凸部を、グリースで吸着しているが、打ち上げ時以外でも無反射層から剥がれたメッキ凸部は、グリースで吸着される。
【００６０】
また、上記実施形態では、各バッフルに受け板を設け、この受け板にグリースを塗布する凹部を形成しているが、各撮像用バッフルに受け板を設けずに、ケースの受け板にグリースを塗布したり、ケースの受け板に形成した凹部にグリース塗布してもよい。
【００６１】
さらに、上記実施形態では、絞り及び各バッフルに凹部を形成し、この凹部にグリースを収容しているが、凹部を形成せずに、粉塵が飛散してくる部分にグリースを塗布してもよい。
【００６２】
また、グリースを塗布する凹部を、下方に向けて次第に狭まるように傾斜したものや、下方に向けて次第に広がるように傾斜したバッフル形状のものにしてもよい。また、凹部の入口に、凹部内にグリースを注入することはできるが、注入されたグリースが飛び出ないように規制する規制片を形成してもよい。
【００６３】
さらに、上記実施形態では、ケース内に複数の撮像用バッフル及びＣＣＤを設けるとともに、レンズ鏡筒内に絞り及びレンズ用バッフルを設けているが、ケース内に撮像用バッフル及びＣＣＤが少なくとも１個ずつ設けられた撮影装置であれば、本発明は実施可能である。
【００６４】
また、上記実施形態では、撮像用バッフルにスリット状の開口を形成しているが、円形の開口を形成してもよい。さらに、各ＣＣＤへの迷光の入射を防止する遮光部材として、各バッフルに代えて、グリースが塗布された絞りを用いてもよい。
【００６５】
さらに、上記実施形態では、開口径が固定された絞りを用いているが、開口径を調整することができる絞りを用いてもよい。
【００６６】
また、上記実施形態では、外形が円形の絞り及びバッフルを用いているが、四角形の絞り及びバッフルを用いてもよい。
【００６７】
さらに、上記実施形態では、望遠レンズの本体筒を円筒状にしているが、正方形及び長方形を含む四角筒状の本体筒を用いてもよい。
【００６８】
また、上記実施形態では、本発明を静止画撮影用の撮影装置に適用しているが、動画撮影用の撮影装置に適用してもよい。
【００６９】
さらに、本発明は、撮影装置に限らず、宇宙航行体に搭載される光量測定装置や分光装置等の光学装置であれば適用可能である。これらの装置は、撮影装置と同様に、受光素子と、受光素子への迷光の入射を防止するとともに受光素子に入射する光を通す開口が形成された遮光部材と、受光素子を収納するケースとを備え、遮光部材の前面及び後面に無反射層を形成し、打ち上げ時に無反射層から剥がれて加速度方向とは逆方向に飛散する粉塵を吸着する粉塵吸着面として、遮光部材またはケースにグリースを塗布する。これにより、粉塵が受光素子に付着することがなく、さらには、光路上に粉塵が浮遊することもない。
【符号の説明】
【００７０】
２  撮影装置
３ａ〜３ｇ  第１〜第７撮影レンズ
４  レンズ鏡筒
５  ケース
１０  絞り
１１，１２  第１，第２レンズ用バッフル
１３，１６，１７，３９  無反射層
１５  グリース
２１〜２３  第１〜第３ＣＣＤ
３０  基本撮像用バッフル
３１〜３３  第１〜第３撮像用バッフル
３４，３５  第１，第２ダイクロックミラー
【図１】
2011149974.tif 000003
【図２】
2011149974.tif 000004
【図３】
2011149974.tif 000005
【図４】
2011149974.tif 000006
【図５】
2011149974.tif 000007
【図６】
2011149974.tif 000008
【図７】
2011149974.tif 000009
【図８】
2011149974.tif 000010
【図９】
2011149974.tif 000011
【図１０】
2011149974.tif 000012
【図１１】
2011149974.tif 000013
【図１２】
2011149974.tif 000014